(57)【要約】      （修正有）【課題】クッション部材が設けられることにより、ハードディスクの受ける振動が減少する、組合せ式の小型ハードディスクケースのクッション構造を提供する。【解決手段】内部にハードディスク４０と、該ハードディスクと電気連接する回路板２０とを有する組合せ式の小型ハードディスクケースに使用するクッション構造であって、前記回路板の一側にハードディスクを支持するため支持プレート２１が設けられ、前記支持プレートの下に位置決めプレート３０が設けられ、該位置決めプレートの中央にＵ字形の位置決め凹部３１が形成されると共に、両側に取付プレート３２が設けられ、取付プレートと支持プレートとの間に軟質部材からなるクッション部材３４が設けられることを特徴とする。【選択図】図１
0003108716.tif 000002
【実用新案登録請求の範囲】
【請求項１】
内部にハードディスクと、該ハードディスクと電気連接する回路板とを有する組合せ式の小型ハードディスクケースに使用するクッション構造であって、
前記回路板の一側にハードディスクを支持するため支持プレートが設けられ、
前記支持プレートの下に位置決めプレートが設けられ、該位置決めプレートの中央にＵ字形の位置決め凹部が形成されると共に、両側に取付プレートが設けられ、取付プレートと支持プレートとの間に軟質部材からなるクッション部材が設けられることを特徴とする組合せ式の小型ハードディスクケースのクッション構造。
【請求項２】
前記取付プレートに複数の取付孔が形成され、前記位置決めプレートが固定ねじを取付プレートの取付孔に螺設することにより支持プレートと結合されることを特徴とする請求項１に記載の組合せ式の小型ハードディスクケースのクッション構造。
【請求項３】
前記固定ねじに平滑部とねじ山部が設けられることを特徴とする請求項２に記載の組合せ式の小型ハードディスクケースのクッション構造。
【考案の詳細な説明】
【技術分野】
【０００１】
本考案は、特にクッション部材が設けられることにより、ハードディスクの受ける振動が減少する、組合せ式の小型ハードディスクケースのクッション構造に関するものである。
【背景技術】
【０００２】
組合せ式の小型ハードディスクケースは既に有したハードディスクの空き容量が足りない時、パソコンと組合せ、その内部に設けられる小型ハードディスクにより、パソコンにおけるハードディスクのメモリー容量が向上するものである。
【考案の開示】
【考案が解決しようとする課題】
【０００３】
しかしながら、前記組合せ式の小型ハードディスクケースと内部における小型ハードディスクとの間に何らのクッション構造が設けられていないので、外力によって小型ハードディスクに悪影響を与える問題を有する。
【０００４】
そこで、案出されたのが本考案であって、クッション部材が設けられることにより、ハードディスクの受ける振動が減少する、組合せ式の小型ハードディスクケースのクッション構造を提供することを目的としている。
【課題を解決するための手段】
【０００５】
本願の請求項１の考案は、内部にハードディスクと、該ハードディスクと電気連接する回路板とを有する組合せ式の小型ハードディスクケースに使用するクッション構造であって、
前記回路板の一側にハードディスクを支持するため支持プレートが設けられ、
前記支持プレートの下に位置決めプレートが設けられ、該位置決めプレートの中央にＵ字形の位置決め凹部が形成されると共に、両側に取付プレートが設けられ、取付プレートと支持プレートとの間に軟質部材からなるクッション部材が設けられることを特徴とする組合せ式の小型ハードディスクケースのクッション構造及び、
本願の請求項２の考案は、前記取付プレートに複数の取付孔が形成され、前記位置決めプレートが固定ねじを取付プレートの取付孔に螺設することにより支持プレートと結合されることを特徴とする請求項１に記載の組合せ式の小型ハードディスクケースのクッション構造及び、
本願の請求項３の考案は、前記固定ねじに平滑部とねじ山部が設けられることを特徴とする請求項２に記載の組合せ式の小型ハードディスクケースのクッション構造、を提供する。
【考案の効果】
【０００６】
本考案は上記の課題を解決するものであり、ケースの内部における回路板の一側に支持プレートが設けられ、該支持プレートの下方に位置決めプレートが設けられ、該位置決めプレートと支持プレートの間にクッション部材が設けられることにより、ハードディスクの受ける振動を減少することが達成できる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【０００８】
図１は本考案に係る組合せ式の小型ハードディスクケースのクッション構造の使用状態を示す分解斜視図であり、図２は本考案に係る組合せ式の小型ハードディスクケースのクッション構造の使用状態を示す斜視図であり、図３は本考案に係る組合せ式の小型ハードディスクケースのクッション構造の使用状態を示す断面図である。
【０００９】
図１及び図２に示すように、本考案に係る組合せ式の小型ハードディスクケースのクッション構造は、内部にハードディスク（４０）と、該ハードディスク（４０）と電気連接する回路板（２０）とを有する組合せ式の小型ハードディスクケース（１０）に使用するものであり、該回路板（２０）の一側にハードディスク（４０）を支持するため支持プレート（２１）が設けられる。
【００１０】
前記ケース（１０）の内部に位置決めプレート（３０）が設けられ、該位置決めプレート（３０）の中央にＵ字形の位置決め凹部（３１）が形成されると共に、両側に複数の取付孔（３３）を有する取付プレート（３２）が設けられ、本実施例において、該取付プレート（３２）に二つの取付孔（３３）が形成されている。又、取付プレート（３２）の上面に軟質部材（例えばゴム）からなるクッション部材（３４）が設けられる。
【００１１】
図２及び図３に示すように、本考案に係る組合せ式の小型ハードディスクケースのクッション構造を組合せする場合、該位置決めプレート（３０）が固定ねじ（３５）を取付プレート（３２）の取付孔（３３）に螺設することにより支持プレート（２１）と結合されると共に、クッション部材（３４）が位置決めプレート（３０）の取付プレート（３１）と支持プレート（２１）との間に位置される。
【００１２】
前記固定ねじ（３５）に平滑部（３５１）とねじ山部（３５２）が設けられ、位置決めプレート（３０）が支持プレート（２１）と結合する際、該固定ねじ（３５）のねじ山部（３５２）が支持プレート（２１）を貫通してハードディスク（４０）と螺合する。
【００１３】
又、固定ねじ（３５）に平滑部（３５１）を有するので、固定ねじ（３５）を取付プレート（３２）に螺設する際、該平滑部（３５１）によって固定ねじ（３５）がハードディスク（４０）と締めすぎることにより、ハードディスク（４０）が損壊する問題を防止できる。
【図面の簡単な説明】
【００１４】
【図１】本考案に係る小型組合せ式ハードディスクケースのクッション構造の使用状態を示す分解斜視図。
【図２】本考案に係る小型組合せ式ハードディスクケースのクッション構造の使用状態を示す斜視図。
【図３】本考案に係る小型組合せ式ハードディスクケースのクッション構造の使用状態を示す断面図。
【符号の説明】
【００１５】
１０        ケース
２０        回路板
２１        支持プレート
３０        位置決めプレート
３１        位置決め凹部
３２        取付プレート
３３        取付孔
３４        クッション部材
３５        固定ねじ
３５１      平滑部
３５２      ねじ山部
４０        ハードディスク
【図１】
0003108716.tif 000003
【図２】
0003108716.tif 000004
【図３】
0003108716.tif 000005